【手続補正書】
【提出日】平成31年4月15日(2019.4.15)
【手続補正１】
【補正対象書類名】明細書
【補正対象項目名】発明の名称
【補正方法】変更
【補正の内容】
【発明の名称】通信装置及びその制御方法、並びにプログラム
【手続補正２】
【補正対象書類名】明細書
【補正対象項目名】０００１
【補正方法】変更
【補正の内容】
【０００１】
本発明は、通信装置及びその制御方法、並びにプログラムに関する。
【手続補正３】
【補正対象書類名】明細書
【補正対象項目名】０００６
【補正方法】変更
【補正の内容】
【０００６】
本発明の目的は、ＩＰｖ６アドレスに対応しない外部装置がＩＰｖ６アドレスを取得するのを確実に回避することができる通信装置及びその制御方法、並びにプログラムを提供することにある。
【手続補正４】
【補正対象書類名】明細書
【補正対象項目名】０００７
【補正方法】変更
【補正の内容】
【０００７】
上記目的を達成するために、本発明の通信装置は、外部装置とのデータ通信のためにＩＰアドレスを利用する通信装置であって、表示手段と、前記通信装置のＩＰアドレスが前記通信装置によって前記データ通信のために使用される場合、前記通信装置のＩＰｖ４アドレスを含むＱＲ画像を表示するように前記表示手段を制御する制御手段とを有し、前記通信装置のＩＰｖ４アドレスが前記通信装置によって前記データ通信のために使用されず且つ前記前記通信装置のＩＰｖ６アドレスが前記通信装置によって前記データ通信のために使用される場合、前記制御手段は、前記通信装置のＩＰｖ６アドレスを含むＱＲ画像を表示しないように前記表示手段を制御することを特徴とする。
【手続補正５】
【補正対象書類名】特許請求の範囲
【補正対象項目名】全文
【補正方法】変更
【補正の内容】
【特許請求の範囲】
【請求項１】
外部装置とのデータ通信のためにＩＰアドレスを利用する通信装置であって、
表示手段と、
前記通信装置のＩＰアドレスが前記通信装置によって前記データ通信のために使用される場合、前記通信装置のＩＰｖ４アドレスを含むＱＲ画像を表示するように前記表示手段を制御する制御手段とを有し、
前記通信装置のＩＰｖ４アドレスが前記通信装置によって前記データ通信のために使用されず且つ前記前記通信装置のＩＰｖ６アドレスが前記通信装置によって前記データ通信のために使用される場合、前記制御手段は、前記通信装置のＩＰｖ６アドレスを含むＱＲ画像を表示しないように前記表示手段を制御することを特徴とする通信装置。
【請求項２】
前記通信装置のＩＰｖ４アドレスが前記通信装置によって前記データ通信のために使用されず且つ前記前記通信装置のＩＰｖ６アドレスが前記通信装置によって前記データ通信のために使用される場合、前記制御手段は、通信が行えないことを示す情報を含むＱＲ画像を表示するように前記表示手段を制御することを特徴とする請求項１記載の通信装置。
【請求項３】
前記通信装置のＩＰｖ４アドレスと前記通信装置のＩＰｖ６アドレスの両方が前記通信装置によって前記データ通信のために使用される場合、前記制御手段は、前記通信装置のＩＰｖ６アドレスではなく前記通信装置のＩＰｖ４アドレスを含むＱＲ画像を表示するように前記表示手段を制御することを特徴とする請求項１又は２記載の通信装置。
【請求項４】
前記通信装置は印刷装置であることを特徴とする請求項１乃至３のいずれか１項に記載の通信装置。
【請求項５】
外部装置とのデータ通信のためにＩＰアドレスを利用する通信装置であって、
Ｂｌｕｅｔｏｏｔｈ  Ｌｏｗ  Ｅｎｅｒｇｙ通信を実行する通信手段と、
前記通信装置のＩＰｖ４アドレスが前記通信装置によって前記データ通信のために使用される場合、前記通信装置のＩＰｖ４アドレスを前記外部装置に送信するように前記ＢＬＥ通信手段を制御する制御手段とを有し、
前記通信装置のＩＰｖ４アドレスが前記通信装置によって前記データ通信のために使用されず且つ前記通信装置のＩＰｖ６アドレスが前記通信装置によって前記データ通信のために使用される場合、前記通信手段は、前記通信装置のＩＰｖ６アドレスを前記外部装置に送信しないことを特徴とする通信装置。
【請求項６】
前記通信装置のＩＰｖ４アドレスが前記通信装置によって前記データ通信のために使用されず且つ前記前記通信装置のＩＰｖ６アドレスが前記通信装置によって前記データ通信のために使用される場合、前記制御手段は、通信が行えないことを示す情報を前記外部装置に送信するように前記ＢＬＥ通信手段を制御することを特徴とする請求項５記載の通信装置。
【請求項７】
前記通信装置のＩＰｖ４アドレスと前記通信装置のＩＰｖ６アドレスの両方が前記通信装置によって前記データ通信のために使用される場合、前記制御手段は、前記通信装置のＩＰｖ６アドレスではなく前記通信装置のＩＰｖ４アドレスを前記外部装置に送信するように前記ＢＬＥ通信手段を制御することを特徴とする請求項５又は６記載の通信装置。
【請求項８】
前記通信装置は印刷装置であることを特徴とする請求項５乃至７のいずれか１項に記載の通信装置。
【請求項９】
外部装置とのデータ通信のためにＩＰｖ４アドレス又はＩＰｖ６アドレスを利用する通信装置であって、
表示手段と、
前記ＩＰｖ４アドレス及び前記ＩＰｖ６アドレスの両方を利用する設定がなされている場合、前記ＩＰｖ６アドレスを示す情報を含まず、前記ＩＰｖ４アドレスを示す情報を含むＱＲコード画像を表示するように前記表示手段を制御する制御手段と、を有することを特徴とする通信装置。
【請求項１０】
表示手段を備え、外部装置とのデータ通信のためにＩＰアドレスを利用する通信装置の制御方法であって、
前記通信装置のＩＰアドレスが前記通信装置によって前記データ通信のために使用される場合、前記通信装置のＩＰｖ４アドレスを含むＱＲ画像を表示するように前記表示手段を制御する制御ステップを有し、
前記通信装置のＩＰｖ４アドレスが前記通信装置によって前記データ通信のために使用されず且つ前記前記通信装置のＩＰｖ６アドレスが前記通信装置によって前記データ通信のために使用される場合、前記通信装置のＩＰｖ６アドレスを含むＱＲ画像が前記表示手段に表示されないことを特徴とする通信装置の制御方法。
【請求項１１】
Ｂｌｕｅｔｏｏｔｈ  Ｌｏｗ  Ｅｎｅｒｇｙのアドバタイジングパケットを外部装置に送信し、前記外部装置とのデータ通信のためにＩＰアドレスを利用する通信装置の制御方法であって、
前記通信装置のＩＰｖ４アドレスが前記通信装置によって前記データ通信のために使用される場合、前記通信装置のＩＰｖ４アドレスを含むアドバタイジングパケット前記外部装置に送信するように制御する送信制御ステップとを有し、
前記送信制御ステップでは、前記通信装置のＩＰｖ４アドレスが前記通信装置によって前記データ通信のために使用されず且つ前記通信装置のＩＰｖ６アドレスが前記通信装置によって前記データ通信のために使用される場合、前記通信装置のＩＰｖ６アドレスを含むアドバタイジングパケットは送信されないことを特徴とする通信装置の制御方法。
【請求項１２】
表示手段を有し、外部装置とのデータ通信のためにＩＰｖ４アドレス又はＩＰｖ６アドレスを利用する通信装置の制御方法であって、
前記ＩＰｖ４アドレス及び前記ＩＰｖ６アドレスの両方を利用する設定がなされている場合、前記ＩＰｖ６アドレスを示す情報を含まず、前記ＩＰｖ４アドレスを示す情報を含むＱＲコード画像を表示するように前記表示手段を制御する通信装置の制御方法。
【請求項１３】
請求項１０乃至１２のいずれか１項に記載の通信装置の制御方法をコンピュータに実行させるためのプログラム。